Podtech/llm-jp-corpus-v4-ja_patent huggingface dataset:
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
農業害虫の適応度を低下させる方法であって、
以下：セクロピン（配列番号８２）、メリチン、コプシン、ドロソマイシン（配列番号９３）、ダームシジン（配列番号８１）、アンドロピン（配列番号８３）、モリシン（配列番号８４）、セラトトキシン（配列番号８５）、アバエシン（配列番号８６）、アピダエシン（配列番号８７）、プロフェニン（配列番号８８）、インドリシジン（配列番号８９）、プロテグリン（配列番号９０）、タキプレシン（配列番号９１）又はデフェンシン（配列番号９２）の１つ以上と少なくとも９０％の配列同一性を有する抗微生物ペプチドを前記農業害虫に送達すること
を含む方法。
【請求項２】
前記送達は、前記農業害虫が成長、生活、繁殖、摂餌又は寄生する少なくとも１つの生息場所に前記抗微生物ペプチドを送達することを含む、請求項１に記載の方法。
【請求項３】
前記送達は、前記抗微生物ペプチドを農産物上に噴霧することを含む、請求項１又は２に記載の方法。
【請求項４】
前記抗微生物ペプチドは、前記農業害虫による摂取のための、昆虫が摂食可能な組成物として送達される、請求項１〜３のいずれか一項に記載の方法。
【請求項５】
前記抗微生物ペプチドは、農業的に許容可能な担体と共に液体、固体、エアロゾル、ペースト、ゲル又は気体組成物として製剤化される、請求項１〜４のいずれか一項に記載の方法。
【請求項６】
前記農業害虫は、アブラムシである、請求項１〜５のいずれか一項に記載の方法。
【請求項７】
昆虫内の微生物を標的とするように製剤化される、以下：セクロピン、メリチン、コプシン、ドロソマイシン、ダームシジン、アンドロピン、モリシン、セラトトキシン、アバエシン、アピダエシン、プロフェニン、インドリシジン、プロテグリン、タキプレシン又はデフェンシンの１つ以上と少なくとも９０％の配列同一性を有する抗微生物ペプチドを含む組成物。
【請求項８】
前記抗微生物ペプチドは、前記組成物中において約０．１ｎｇ／ｇ〜約１００ｍｇ／ｇ又は約０．１ｎｇ／ｍＬ〜約１００ｍｇ／ｍＬの濃度である、請求項７に記載の組成物。
【請求項９】
前記抗微生物ペプチドは、ターゲティングドメインを更に含む、請求項７又は８に記載の組成物。
【請求項１０】
前記抗微生物ペプチドは、細胞透過性ペプチドを更に含む、請求項７〜９のいずれか一項に記載の組成物。
【請求項１１】
農業害虫の適応度を低下させる方法であって、
(i)バリダマイシン及び(ii)調節薬剤を含む組成物を農業害虫に送達することを含み、
前記調節薬剤が、農業害虫とそれに常在する微生物との間の相互作用を破綻させる、
前記方法。
【請求項１２】
組成物で処理された農業害虫の適応度が、未処理の農業害虫に比べて相対的に低下する、請求項１１に記載の方法。
【請求項１３】
農業昆虫害虫の適応度の低下が、昆虫の生理学的パラメータの低下として、又は昆虫の死亡として測定される、請求項１２に記載の方法。
【手続補正２】
【補正対象書類名】明細書
【補正対象項目名】０６７８
【補正方法】変更
【補正の内容】
【０６７８】
他の実施形態
前述の本発明は、理解を明確にするために説明及び例として幾らか詳細に記載されているが、そうした記載及び例が本発明の範囲を限定するものと解釈されてはならない。本明細書に引用される全ての特許及び科学文献の開示は、全体として参照により明示的に援用される。
本発明は、例えば以下の実施形態を包含する：
［実施形態１］農業害虫の適応度を低下させる方法であって、
以下：セクロピン（配列番号８２）、メリチン、コプシン、ドロソマイシン（配列番号９３）、ダームシジン（配列番号８１）、アンドロピン（配列番号８３）、モリシン（配列番号８４）、セラトトキシン（配列番号８５）、アバエシン（配列番号８６）、アピダエシン（配列番号８７）、プロフェニン（配列番号８８）、インドリシジン（配列番号８９）、プロテグリン（配列番号９０）、タキプレシン（配列番号９１）又はデフェンシン（配列番号９２）の１つ以上と少なくとも９０％の配列同一性を有する抗微生物ペプチドを前記農業害虫に送達すること
を含む方法。
［実施形態２］前記送達は、前記農業害虫が成長、生活、繁殖、摂餌又は寄生する少なくとも１つの生息場所に前記抗微生物ペプチドを送達することを含む、実施形態１に記載の方法。
［実施形態３］前記送達は、前記抗微生物ペプチドを農産物上に噴霧することを含む、実施形態１又は２に記載の方法。
［実施形態４］前記抗微生物ペプチドは、前記農業害虫による摂取のための、昆虫が摂食可能な組成物として送達される、実施形態１〜３のいずれかに記載の方法。
［実施形態５］前記抗微生物ペプチドは、農業的に許容可能な担体と共に液体、固体、エアロゾル、ペースト、ゲル又は気体組成物として製剤化される、実施形態１〜４のいずれかに記載の方法。
［実施形態６］前記農業害虫は、アブラムシである、実施形態１〜５のいずれかに記載の方法。
［実施形態７］昆虫内の微生物を標的とするように製剤化される、以下：セクロピン、メリチン、コプシン、ドロソマイシン、ダームシジン、アンドロピン、モリシン、セラトトキシン、アバエシン、アピダエシン、プロフェニン、インドリシジン、プロテグリン、タキプレシン又はデフェンシンの１つ以上と少なくとも９０％の配列同一性を有する抗微生物ペプチドを含む組成物。
［実施形態８］前記抗微生物ペプチドは、前記組成物中において約０．１ｎｇ／ｇ〜約１００ｍｇ／ｇ又は約０．１ｎｇ／ｍＬ〜約１００ｍｇ／ｍＬの濃度である、実施形態７に記載の組成物。
［実施形態９］前記抗微生物ペプチドは、ターゲティングドメインを更に含む、実施形態７又は８に記載の組成物。
［実施形態１０］前記抗微生物ペプチドは、細胞透過性ペプチドを更に含む、実施形態７〜９のいずれかに記載の組成物。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
液体医薬組成物であって、
（ａ）少なくとも３つのドメインを含む二重特異性抗体コンストラクトであって、
・第１のドメインは、腫瘍抗原、免疫障害に特異的な抗原又はウイルス抗原からなる群から選択される標的細胞の表面抗原に結合し、４〜９．５の範囲の等電点（ｐＩ）を有し；
・第２のドメインは、ＣＤ３のヒト及び／又はマカクＣＤ３ε鎖の細胞外エピトープである第２の抗原に結合し、８〜１０、好ましくは８．５〜９．５の範囲のｐＩを有し；及び
・第３のドメインは、それぞれヒンジ、ＣＨ２ドメイン及びＣＨ３ドメインを含む２つのポリペプチド単量体を含み、前記２つのポリペプチド単量体は、ペプチドリンカーを介して互いに融合され、第３のドメインは、５．５〜７．５の範囲のｐＩを有する、
抗体コンストラクト；
（ｂ）少なくとも１種の緩衝剤；
（ｃ）少なくとも１種の糖類；及び
（ｄ）少なくとも１種の界面活性剤
を含み、前記医薬組成物のｐＨは、４．０〜５．０の範囲である、液体医薬組成物。
【請求項２】
前記抗体コンストラクトは、単鎖抗体コンストラクトである、請求項１に記載の液体医薬組成物。
【請求項３】
前記第３のドメインは、アミノからカルボキシルの順に、
ヒンジ−ＣＨ２ドメイン−ＣＨ３ドメイン−リンカー−ヒンジ−ＣＨ２ドメイン−ＣＨ３ドメイン
を含む、請求項１又は２に記載の液体医薬組成物。
【請求項４】
前記腫瘍抗原は、ＣＤＨ１９、ＭＳＬＮ、ＤＬＬ３、ＦＬＴ３、ＥＧＦＲ、ＥＧＦＲｖＩＩＩ、ＢＣＭＡ、ＰＳＭＡ、ＣＤ３３、ＣＤ１９、ＣＤ２０及びＣＤ７０からなる群から選択される、請求項１に記載の液体医薬組成物。
【請求項５】
前記第３のドメインの前記ポリペプチド単量体の各々は、配列番号１７〜２４からなる群から選択される配列と少なくとも９０％同一であるアミノ酸配列を有するか、又は配列番号１７〜２４からなる群から選択されるアミノ酸配列を有し、及び／又は、前記ＣＨ２ドメインは、ドメイン内システインジスルフィド架橋を含む、請求項１〜４のいずれか一項に記載の医薬組成物。
【請求項６】
（ｉ）前記第１のドメインは、２つの抗体可変ドメインを含み、前記第２のドメインは、２つの抗体可変ドメインを含む；
（ｉｉ）前記第１のドメインは、１つの抗体可変ドメインを含み、前記第２のドメインは、２つの抗体可変ドメインを含む；
（ｉｉｉ）前記第１のドメインは、２つの抗体可変ドメインを含み、前記第２のドメインは、１つの抗体可変ドメインを含む；又は
（ｉｖ）前記第１のドメインは、１つの抗体可変ドメインを含み、前記第２のドメインは、１つの抗体可変ドメインを含む、
請求項１〜５のいずれか一項に記載の医薬組成物。
【請求項７】
前記抗体コンストラクトは、好ましくはアミノからカルボキシルの順に、
（ａ）前記第１のドメイン；
（ｂ）配列番号１〜３からなる群から選択されるアミノ酸配列を有するペプチドリンカー；
（ｃ）前記第２のドメイン；
（ｄ）配列番号１、２、３、９、１０、１１及び１２からなる群から選択されるアミノ酸配列を有するペプチドリンカー；
（ｅ）前記第３のドメインの第１のポリペプチド単量体；
（ｆ）配列番号５、６、７及び８からなる群から選択されるアミノ酸配列を有するペプチドリンカー；及び
（ｇ）前記第３のドメインの第２のポリペプチド単量体
を含む、請求項１〜６のいずれか一項に記載の液体医薬組成物。
【請求項８】
前記少なくとも１種の緩衝剤は、酢酸塩、グルタミン酸塩、クエン酸塩、コハク酸塩、酒石酸塩、フマル酸塩、マレイン酸塩、ヒスチジン、リン酸塩、２−（Ｎ−モルホリノ）エタンスルホン酸塩又はこれらの組み合わせからなる群から選択される酸であり、前記少なくとも１種の緩衝剤は、好ましくは５〜２００ｍＭの濃度範囲、より好ましくは１０〜５０ｍＭの濃度範囲で存在する、請求項１〜７のいずれか一項に記載の液体医薬組成物。
【請求項９】
前記少なくとも１種の糖類は、単糖類、二糖類、環状多糖類、糖アルコール、直鎖状分岐状デキストラン又は直鎖状非分岐状デキストランからなる群から選択され、前記二糖類は、好ましくはスクロース、トレハロース及びマンニトール、ソルビトール並びにこれらの組み合わせからなる群から選択され、又は、前記糖アルコールは、好ましくはソルビトールであり、及び／又は、前記少なくとも１種の糖類は、好ましくは１〜１５％（ｍ／Ｖ）の範囲の濃度、より好ましくは９〜１２％（ｍ／Ｖ）の濃度範囲で存在する、請求項１〜８のいずれか一項に記載の液体医薬組成物。
【請求項１０】
前記少なくとも１種の界面活性剤は、ポリソルベート２０、ポリソルベート４０、ポリソルベート６０、ポリソルベート８０、ポロキサマー１８８、プルロニックＦ６８、トリトンＸ−１００、ポリオキシエチレン、ＰＥＧ３３５０、ＰＥＧ４０００及びこれらの組み合わせからなる群から選択され、前記少なくとも１種の界面活性剤は、好ましくは０．００４〜０．５％（ｍ／Ｖ）の範囲、より好ましくは０．００１〜０．０１％（ｍ／Ｖ）の範囲の濃度で存在する、請求項１〜９のいずれか一項に記載の液体医薬組成物。
【請求項１１】
１５０〜５００ｍＯｓｍの範囲のモル浸透圧濃度を有する、請求項１〜１０のいずれか一項に記載の液体医薬組成物。
【請求項１２】
一又は複数のポリオール及び一又は複数のアミノ酸からなる群から選択される賦形剤をさらに含み、前記１種以上の賦形剤は、好ましくは０．１〜１５％（ｗ／Ｖ）の濃度範囲で存在し、及び／又は、前記組成物は、好ましくは無機陰イオンを含まない、請求項１〜１１のいずれか一項に記載の液体医薬組成物。
【請求項１３】
（ａ）請求項１〜１２のいずれか一項に記載の抗体コンストラクト、
（ｂ）１０ｍＭのグルタミン酸塩又は酢酸塩、
（ｃ）９％（ｍ／Ｖ）のスクロース又は６％（ｍ／Ｖ）のスクロース及び６％（ｍ／Ｖ）のヒドロキシプロピル−β−シクロデキストリン、
（ｄ）０．０１％（ｍ／Ｖ）のポリソルベート８０
を含み、前記液体医薬組成物のｐＨは、４．２である、請求項１〜１２のいずれか一項に記載の液体医薬組成物。
【請求項１４】
前記抗体コンストラクトは、０．１〜８ｍｇ／ｍｌ、好ましくは０．２〜２．５ｍｇ／ｍｌ、より好ましくは０．２５〜１．０ｍｇ／ｍｌの濃度範囲で存在する、請求項１〜１３のいずれか一項に記載の液体医薬組成物。
【請求項１５】
請求項１〜１４のいずれか一項に記載の液体医薬組成物の凍結乾燥によって得ることができる固体医薬組成物、又は、薬学的に許容される液体とともに前記固体医薬組成物を再構成することによって得ることができる液体医薬組成物。
【請求項１６】
疾患、好ましくは増殖性疾患、免疫疾患又はウイルス性疾患の治療における使用のための、好ましくは非経口的に、より好ましくは点滴又は注射による静注によって投与され、好ましくは１週間に１、２、３、４、５、６若しくは７回、又は２週間毎に１、２、３、４、５若しくは６回、又は１ヶ月に１若しくは２回、又は２ヶ月毎に１若しくは２回、最も好ましくは１週間に１回投与される、請求項１〜１５のいずれか一項に記載の組成物。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
一般化学式（Ｉ）：
（Ｉ）：ｘ（Ｂｉ０．５Ｎａ０．５）ＴｉＯ３−ｙ（Ｂｉ０．５Ｋ０．５）ＴｉＯ３−ｚ１ＳｒＨｆＯ３−ｚ２ＳｒＺｒＯ３
式中、ｘ＋ｙ＋ｚ１＋ｚ２＝１；ｙ，（ｚ１＋ｚ２）≠０；ｘ≧０、を有する固溶体セラミック材料であって、
前記セラミック材料が、０．９９５〜１．００５の軸比ｃ／ａ及び／または９０±０．５度の菱面体角を有する少なくとも７０体積％の擬似立方晶相を含み、前記セラミック材料が前記擬似立方晶相から１．００５〜１．０２の軸比ｃ／ａを有する立方晶相への電界誘起可逆的転移を経ることができる、固溶体セラミック材料。
【請求項２】
一般化学式（ＩＩ）：
（ＩＩ）：ｘ（Ｂｉ０．５Ｎａ０．５）ＴｉＯ３−ｙ（Ｂｉ０．５Ｋ０．５）ＴｉＯ３−ｚ１ＳｒＨｆＯ３−ｚ２ＳｒＺｒＯ３
式中、ｘ＋ｙ＋ｚ１＋ｚ２＝１；ｘ，ｙ，（ｚ１＋ｚ２）≠０、を有するセラミック材料であって、
前記セラミック材料が、０．９９５〜１．００５の軸比ｃ／ａ及び／または９０±０．５度の菱面体角を有する少なくとも７０体積％の擬似立方晶相を含み、前記セラミック材料が前記擬似立方晶相から１．００５〜１．０２の軸比ｃ／ａを有する立方晶相への電界誘起可逆的転移を経ることができる、請求項１に記載のセラミック材料。
【請求項３】
式中、ｚ１＝０であり及び前記セラミック材料が、一般式（ＩＩ）（ａ）：
ｘ（Ｂｉ０．５Ｎａ０．５）ＴｉＯ３−ｙ（Ｂｉ０．５Ｋ０．５）ＴｉＯ３−ｚ２ＳｒＺｒＯ３を有し、または
式中、ｚ２＝０であり及び前記セラミック材料が、一般式（ＩＩ）（ｂ）：
ｘ（Ｂｉ０．５Ｎａ０．５）ＴｉＯ３−ｙ（Ｂｉ０．５Ｋ０．５）ＴｉＯ３−ｚ１ＳｒＨｆＯ３を有する、請求項２に記載のセラミック材料。
【請求項４】
式中、０．４０≦ｘ≦０．５０、０．４０≦ｙ≦０．５０、及び０．０２≦（ｚ１＋ｚ２）≦０．１０である、請求項２または３に記載のセラミック材料。
【請求項５】
一般化学式（ＩＩＩ）：
（ＩＩＩ）：ｙ（Ｂｉ０．５Ｋ０．５）ＴｉＯ３−ｚ１ＳｒＨｆＯ３−ｚ２ＳｒＺｒＯ３
式中、ｙ＋ｚ１＋ｚ２＝１；ｙ，（ｚ１＋ｚ２）≠０、を有するセラミック材料であって、
前記セラミック材料が、０．９９５〜１．００５の軸比ｃ／ａ及び／または９０±０．５度の菱面体角を有する少なくとも７０体積％の擬似立方晶相を含み、前記セラミック材料が前記擬似立方晶相から１．００５〜１．０２の軸比ｃ／ａを有する立方晶相への電界誘起可逆的転移を経ることができる、請求項１に記載のセラミック材料。
【請求項６】
式中、ｚ１＝０であり及び前記セラミック材料が、一般式（ＩＩＩ）（ａ）：
ｙ（Ｂｉ０．５Ｋ０．５）ＴｉＯ３−ｚ２ＳｒＺｒＯ３を有し、
式中、ｚ２＝０であり及び前記セラミック材料が、一般式（ＩＩＩ）（ｂ）：
ｙ（Ｂｉ０．５Ｋ０．５）ＴｉＯ３−ｚ１ＳｒＨｆＯ３を有する、請求項５に記載のセラミック材料。
【請求項７】
式中、０．０１≦（ｚ１＋ｚ２）≦０．２５、好ましくは式中、０．０２≦（ｚ１＋ｚ２）≦０．２０、より好ましくは式中、０．０４≦（ｚ１＋ｚ２）≦０．１０である、請求項５または６に記載のセラミック材料。
【請求項８】
前記セラミック材料が、５μＣ／ｃｍ２未満の残留分極を有する、請求項１〜７に記載のいずれか一項に記載のセラミック材料。
【請求項９】
前記セラミック材料が、少なくとも８０体積％、好ましくは少なくとも９０体積％の前記立方晶相を含む、請求項１〜８のいずれか一項に記載のセラミック材料。
【請求項１０】
正方晶相を大部分含む、請求項１〜９のいずれかに記載のセラミック材料を可逆的に変換する方法であって、前記方法が請求項１〜９のいずれかに記載のセラミック材料に電界を印加する工程を含む、方法。
【請求項１１】
請求項１〜９のいずれか一項に記載のセラミック材料を含む液滴堆積装置で使用するためのアクチュエータ部品。
【請求項１２】
請求項１１に記載のアクチュエータ部品を備える液滴堆積装置。
【請求項１３】
前記一般化学式（Ｉ）：
（ＩＩ）：ｘ（Ｂｉ０．５Ｎａ０．５）ＴｉＯ３−ｙ（Ｂｉ０．５Ｋ０．５）ＴｉＯ３−ｚ１ＳｒＨｆＯ３−ｚ２ＳｒＺｒＯ３
式中、ｘ＋ｙ＋ｚ１＋ｚ２＝１；ｘ，ｙ，（ｚ１＋ｚ２）≠０、を有する固溶体セラミック材料を調製する方法であって、
前記セラミック材料は、０．９９５〜１．００５の軸比ｃ／ａ及び／または９０±０．５度の菱面体角を有する少なくとも７０体積％の擬似立方晶相を含み、前記セラミック材料が前記擬似立方晶相から１．００５〜１．０２の軸比ｃ／ａを有する立方晶相への電界誘起可逆的転移を経ることができ、
前記方法が：
ｉ）  前駆体または前記セラミック材料成分を所定のモル比で混合する工程と、
ｉｉ）  固相合成において工程ｉ）で形成された前駆体の前記混合物を利用して式（ＩＩ）によるセラミック材料を調製する工程と、を含み、
前記前駆体の所定のモル比が、ａ）セラミック材料ベースの、二成分（Ｂｉ０．５Ｎａ０．５）ＴｉＯ３−（Ｂｉ０．５Ｋ０．５）ＴｉＯ３中に正方晶相を形成するのに必要な、（Ｂｉ０．５Ｎａ０．５）ＴｉＯ３前駆体に対する（Ｂｉ０．５Ｋ０．５）ＴｉＯ３前駆体のモル比、及びｂ）少なくとも７０体積％の疑似立方晶相を含む前記一般化学式（ＩＩ）を有するセラミック材料を形成するのに必要な、ＳｒＨｆＯ３前駆体及び／またはＳｒＺｒＯ３前駆体に対する（Ｂｉ０．５Ｎａ０．５）ＴｉＯ３及び（Ｂｉ０．５Ｋ０．５）ＴｉＯ３前駆体のモル比に基づいて決定される、方法。
【請求項１４】
（Ｂｉ０．５Ｎａ０．５）ＴｉＯ３前記二成分（Ｂｉ０．５Ｎａ０．５）ＴｉＯ３−（Ｂｉ０．５Ｋ０．５）ＴｉＯ３組成物が、１．０１〜１．０２の軸比ｃ／ａを有する正方晶相を含む、請求項１３に記載の方法。
【請求項１５】
前記一般化学式（ＩＩＩ）：
（ＩＩＩ）：ｙ（Ｂｉ０．５Ｋ０．５）ＴｉＯ３−ｚ１ＳｒＨｆＯ３−ｚ２ＳｒＺｒＯ３
式中、ｙ＋ｚ１＋ｚ２＝１；ｙ，（ｚ１＋ｚ２）≠０、を有する固溶体セラミック材料を調製する方法であって、
前記セラミック材料は、０．９９５〜１．００５の軸比ｃ／ａ及び／または９０±０．５度の菱面体角を有する少なくとも７０体積％の擬似立方晶相を含み、前記セラミック材料が前記擬似立方晶相から１．００５〜１．０２の軸比ｃ／ａを有する立方晶相への電界誘起可逆的転移を経ることができ、
前記方法が：
ｉ）  前記セラミック材料成分の前駆体を所定のモル比で混合する工程と、
ｉｉ）  固相合成において工程ｉ）で形成された前駆体の前記混合物を利用して式（ＩＩＩ）によるセラミック材料を調製する工程と、を含み、
前記前駆体の所定のモル比は、少なくとも７０体積％の擬似立方晶相を含む前記一般化学式（ＩＩＩ）を有するセラミック材料を形成するのに必要な、（Ｂｉ０．５Ｋ０．５）ＴｉＯ３前駆体に対するＳｒＨｆＯ３前駆体及び／またはＳｒＺｒＯ３前駆体のモル比に基づいて決定される、方法。
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
ＣＹＰ４５０酵素のモジュレーターを含む第１の構成要素、及び置換又は非置換のジインドリルメタンを含む第２の構成要素を含む、医薬組成物であって、前記医薬組成物は皮膚疾病を処置するためのものであり、第１の構成要素及び第２の構成要素は別個の剤形である、医薬組成物。
【請求項２】
第１の構成要素は約１００ｍｇ〜約１０００ｍｇのモジュレーターを含む、請求項１に記載の医薬組成物。
【請求項３】
第２の構成要素は約１５ｍｇ〜約１００ｍｇの置換又は非置換のジインドリルメタンを含む、請求項１に記載の医薬組成物。
【請求項４】
置換又は非置換のレチン酸ベースの化合物を含む第３の構成要素を更に含む、請求項１に記載の医薬組成物。
【請求項５】
第３の構成要素は、約１００μｇ〜約１０００μｇの置換又は非置換のレチン酸ベースの化合物を含む、請求項４に記載の医薬組成物。
【請求項６】
ＣＹＰ４５０酵素のモジュレーターはケルセチンを含む、請求項１−５に記載の医薬組成物。
【請求項７】
第２の構成要素は約３０ｍｇ〜約１００ｍｇの置換又は非置換のジインドリルメタンを含む、請求項１−６に記載の医薬組成物。
【請求項８】
置換又は非置換のレチン酸ベースの化合物はビタミンＡ化合物を含む、請求項４または５に記載の医薬組成物。
【請求項９】
皮膚疾病は、ざ瘡、炎症、酒さ、老化、又はそれらの組み合わせを含む、請求項１−８に記載の医薬組成物。
【請求項１０】
モジュレーターと置換又は非置換のジインドリルメタンとの比率（ｍｇ：ｍｇでのＣＹＰ４５０モジュレーター：ＤＩＭ）は、約１５：１〜約１０：１である、請求項１に記載の医薬組成物。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
医薬組成物であって、Ｎ−（５−（６−クロロ−２，２−ジフルオロベンゾ［ｄ］［１，３］ジオキソール−５−イル）ピラジン−２−イル）−２−フルオロ−６−メチルベンズアミド、あるいはその薬学的に許容可能な塩、および薬学的に許容可能な賦形剤を含む、
医薬組成物。
【請求項２】
医薬組成物は、均質の液体、エマルジョン、ナノ懸濁液、あるいは再構成のための粉末として製剤される、請求項１に記載の医薬組成物。
【請求項３】
医薬組成物は注射に適している、請求項１または２に記載の医薬組成物。
【請求項４】
Ｎ−（５−（６−クロロ−２，２−ジフルオロベンゾ［ｄ］［１，３］ジオキソール−５−イル）ピラジン−２−イル）−２−フルオロ−６−メチルベンズアミドは、遊離塩基として存在する、請求項１−３のいずれか１つに記載の医薬組成物。
【請求項５】
Ｎ−（５−（６−クロロ−２，２−ジフルオロベンゾ［ｄ］［１，３］ジオキソール−５−イル）ピラジン−２−イル）−２−フルオロ−６−メチルベンズアミド、あるいはその薬学的に許容可能な塩は、結晶である、請求項１−４のいずれか１つに記載の医薬組成物。
【請求項６】
結晶性のＮ−（５−（６−クロロ−２，２−ジフルオロベンゾ［ｄ］［１，３］ジオキソール−５−イル）ピラジン−２−イル）−２−フルオロ−６−メチルベンズアミドは、以下の特性：
（ａ）図１に示されるものとほぼ同じＸ線粉末回折（ＸＲＰＤ）パターン；
（ｂ）約１３．８°  ２シータ、約１４．２°  ２シータ、約１６．８°  ２シータ、約１９．２°  ２シータ、約１９．７°  ２シータ、約２１．１°  ２シータ、約２２．５°  ２シータ、約２２．７°  ２シータ、約２６．５°  ２シータ、および、約２７．５°  ２シータにおいて特徴的なピークを含むＸ線粉末回折（ＸＲＰＤ）パターン；
（ｃ）図２に示されるものとほぼ類似するＤＳＣサーモグラム；あるいは、
（ｄ）約１５６．６°Ｃでピークを迎える吸熱を伴うＤＳＣサーモグラム、
の少なくとも１つを有する結晶形態Ａである、請求項５に記載の医薬組成物。
【請求項７】
医薬組成物はエマルジョンとして製剤される、請求項１−６のいずれか１つに記載の医薬組成物。
【請求項８】
エマルジョンは注射に適している、請求項１−７のいずれか１つに記載の医薬組成物。
【請求項９】
薬学的に許容可能な賦形剤は、レシチン、大豆油（ＳＢＯ）、中鎖トリグリセリド（ＭＣＴ）、コレステロール、ビタミンＥコハク酸塩（ＶＥＳ）、スクロース、グリセリン、ＥＤＴＡ−Ｎａ２、および、これらの任意の組み合わせからなる群から選択される、請求項１−８のいずれか１つに記載の医薬組成物。
【請求項１０】
（ｉ）Ｎ−（５−（６−クロロ−２，２−ジフルオロベンゾ［ｄ］［１，３］ジオキソール−５−イル）ピラジン−２−イル）−２−フルオロ−６−メチルベンズアミド；
（ｉｉ）レシチン；
（ｉｉｉ）中鎖トリグリセリド（ＭＣＴ）；
（ｉｖ）グリセリン；および、
（ｖ）水
を含む、請求項１−９のいずれか１つに記載の医薬組成物。
【請求項１１】
Ｎ−（５−（６−クロロ−２，２−ジフルオロベンゾ［ｄ］［１，３］ジオキソール−５−イル）ピラジン−２−イル）−２−フルオロ−６−メチルベンズアミドは、約０．１ｍｇ／ｍＬから約４．０ｍｇ／ｍＬの濃度で存在する、請求項１０に記載の医薬組成物。
【請求項１２】
Ｎ−（５−（６−クロロ−２，２−ジフルオロベンゾ［ｄ］［１，３］ジオキソール−５−イル）ピラジン−２−イル）−２−フルオロ−６−メチルベンズアミドは、約１．８ｍｇ／ｍＬ未満の濃度で存在する、請求項１０または１１に記載の医薬組成物。
【請求項１３】
Ｎ−（５−（６−クロロ−２，２−ジフルオロベンゾ［ｄ］［１，３］ジオキソール−５−イル）ピラジン−２−イル）−２−フルオロ−６−メチルベンズアミドは、約１．６ｍｇ／ｍＬの濃度で存在する、請求項１０−１２のいずれか１つに記載の医薬組成物。
【請求項１４】
Ｎ−（５−（６−クロロ−２，２−ジフルオロベンゾ［ｄ］［１，３］ジオキソール−５−イル）ピラジン−２−イル）−２−フルオロ−６−メチルベンズアミドは、約０．１％から約１％（ｗ／ｗ）の濃度で存在する、請求項１０に記載の医薬組成物。
【請求項１５】
Ｎ−（５−（６−クロロ−２，２−ジフルオロベンゾ［ｄ］［１，３］ジオキソール−５−イル）ピラジン−２−イル）−２−フルオロ−６−メチルベンズアミドは、約０．１％から約０．３％（ｗ／ｗ）の濃度で存在する、請求項１４に記載の医薬組成物。
【請求項１６】
以下の特性：
（ａ）図４に示されるものとほぼ同じＸ線粉末回折（ＸＲＰＤ）パターン；
（ｂ）約１４．２°  ２シータ、約１７．１°  ２シータ、約２１．５°  ２シータ、約２５．４°  ２シータ、約２６．５°  ２シータ、および、約２６．９°  ２シータにおいて特徴的なピークを含むＸ線粉末回折（ＸＲＰＤ）パターン；
（ｃ）図５に示されるものとほぼ類似するＤＳＣサーモグラム；あるいは、
（ｄ）約５４．３°Ｃと約１５５．９°Ｃでピークを迎える吸熱を伴うＤＳＣサーモグラム、
の少なくとも１つを有する、Ｎ−（５−（６−クロロ−２，２−ジフルオロベンゾ［ｄ］［１，３］ジオキソール−５−イル）ピラジン−２−イル）−２−フルオロ−６−メチルベンズアミド結晶形態Ｂをほぼ含まない、請求項７−１５のいずれか１つに記載の医薬組成物。
【請求項１７】
医薬組成物は、少なくとも３ヶ月間、約５±３℃で安定している、請求項７−１６のいずれか１つに記載の医薬組成物。
【請求項１８】
医薬組成物は再構成のための粉末として製剤される、請求項１−６のいずれか１つに記載の医薬組成物。
【請求項１９】
医薬組成物はいったん水性担体で再構成された後の注射に適している、請求項１−６または１８のいずれか１つに記載の医薬組成物。
【請求項２０】
（ｉ）Ｎ−（５−（６−クロロ−２，２−ジフルオロベンゾ［ｄ］［１，３］ジオキソール−５−イル）ピラジン−２−イル）−２−フルオロ−６−メチルベンズアミド；
（ｉｉ）ポリビニルピロリドン（ＰＶＰ）；
（ｉｉｉ）デオキシコール酸ナトリウム；および、
（ｉｖ）スクロース
を含む、請求項１−６または１８−１９のいずれか１つに記載の医薬組成物。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
医薬組成物であって、
（ａ）アンジオテンシンＩＩ受容体遮断薬；
（ｂ）利尿薬；及び
（ｃ）カルシウムチャネル遮断薬
を含み、
ここで、（ａ）、（ｂ）、及び（ｃ）の各々の投与量は、（ａ）、（ｂ）、及び（ｃ）の各々に対する最低高血圧症治療量（ＬＨＴＤ）の約４０％〜約８０％であり、ならびに、医薬組成物は、アンジオテンシン変換酵素阻害薬又はその薬学的に許容可能な塩、β遮断薬又はその薬学的に許容可能な塩、脂質調節薬、血小板機能改変薬、血清ホモシステイン低下剤、又はそれらの組み合わせを本質的に含まない、
医薬組成物。
【請求項２】
利尿薬はチアジド様利尿薬である、請求項１に記載の医薬組成物。
【請求項３】
チアジド様利尿薬は、キネサゾン、クロパミド、クロルサリドン、メフルシド、クロフェナミド、メトラゾン、メチクラン、キシパミド、インダパミド、クロレキソロン、フェンキゾン、或いはそれらの薬学的に許容可能な塩又は水和物である、請求項２に記載の医薬組成物。
【請求項４】
チアジド様利尿薬はインダパミド又はその水和物である、請求項３に記載の医薬組成物。
【請求項５】
カルシウムチャネル遮断薬は、アムロジピン、ニフェジピン、ジルチアゼム、ニモジピン、ベラパミル、イスラジピン、フェロジピン、ニカルジピン、ニソルジピン、クレビジピン、ジヒドロピリジン、レルカニジピン、ニトレンジピン、シルニジピン、マニジピン、ミベフラジル、ベプリジル、バルニジピン、ニルバジピン、ガロパミル、リドフラジン、アラニジピン、ドタリジン、ジプロテベリン、或いはそれらの薬学的に許容可能な塩又は水和物である、請求項１に記載の医薬組成物。
【請求項６】
カルシウムチャネル遮断薬はベシル酸アムロジピンである、請求項１に記載の医薬組成物。
【請求項７】
アンジオテンシンＩＩ受容体遮断薬は、イルベサルタン、テルミサルタン、バルサルタン、カンデサルタン、エプロサルタン、オルメサルタン、アジルサルタン、ロサルタン、或いはそれらの薬学的に許容可能な塩又は水和物である、請求項１に記載の医薬組成物。
【請求項８】
アンジオテンシンＩＩ受容体遮断薬はテルミサルタンである、請求項７に記載の医薬組成物。
【請求項９】
チアジド様利尿薬はインダパミドであり、インダパミドの投与量は約０．６２５ｍｇである、請求項１に記載の医薬組成物。
【請求項１０】
カルシウムチャネル遮断薬はベシル酸アムロジピンであり、ベシル酸アムロジピンの投与量は約１．２５ｍｇである、請求項１に記載の医薬組成物。
【請求項１１】
アンジオテンシンＩＩ受容体遮断薬はテルミサルタンであり、テルミサルタンの投与量は約１０ｍｇである、請求項１に記載の医薬組成物。
【請求項１２】
アンジオテンシンＩＩ受容体遮断薬はテルミサルタンであり、利尿薬はインダパミドであり、カルシウムチャネル遮断薬はベシル酸アムロジピンである、請求項１に記載の医薬組成物。
【請求項１３】
テルミサルタンの投与量は約８ｍｇ〜約１２ｍｇであり、インダパミドの投与量は約０．５ｍｇ〜約０．７５ｍｇであり、ベシル酸アムロジピンの投与量は約１ｍｇ〜約１．５ｍｇである、請求項１２に記載の医薬組成物。
【請求項１４】
テルミサルタンの投与量は約１０ｍｇであり、インダパミドの投与量は約０．６２５ｍｇであり、ベシル酸アムロジピンの投与量は約１．２５ｍｇである、請求項１２に記載の医薬組成物。
【請求項１５】
医薬組成物であって、
（ａ）テルミサルタン；
（ｂ）チアジド様利尿薬；及び
（ｃ）カルシウムチャネル遮断薬
を含み、
ここで、（ａ）、（ｂ）、及び（ｃ）の各々の投与量は、（ａ）、（ｂ）、及び（ｃ）の各々に対する最低高血圧症治療量（ＬＨＴＤ）の約８０％〜約１５０％であり、ならびに、医薬組成物は、アンジオテンシン変換酵素阻害薬又はその薬学的に許容可能な塩、β遮断薬又はその薬学的に許容可能な塩、脂質調節薬、血小板機能改変薬、血清ホモシステイン低下剤、又はそれらの組み合わせを本質的に含まない、
医薬組成物。
【請求項１６】
チアジド様利尿薬はインダパミドである、請求項１５に記載の医薬組成物。
【請求項１７】
カルシウムチャネル遮断薬はベシル酸アムロジピンである、請求項１５に記載の医薬組成物。
【請求項１８】
チアジド様利尿薬はインダパミドであり、インダパミドの投与量は約１．２５ｍｇである、請求項１５に記載の医薬組成物。
【請求項１９】
カルシウムチャネル遮断薬はベシル酸アムロジピンであり、ベシル酸アムロジピンの投与量は約２．５ｍｇである、請求項１５に記載の医薬組成物。
【請求項２０】
テルミサルタンの投与量は約２０ｍｇである、請求項１５に記載の医薬組成物。
【請求項２１】
チアジド様利尿薬はインダパミドであり、カルシウムチャネル遮断薬はベシル酸アムロジピンである、請求項１５に記載の医薬組成物。
【請求項２２】
テルミサルタンの投与量は約１６ｍｇ〜約２４ｍｇであり、インダパミドの投与量は約１ｍｇ〜約１．５ｍｇであり、ベシル酸アムロジピンの投与量は約２ｍｇ〜約３ｍｇである、請求項２１に記載の医薬組成物。
【請求項２３】
テルミサルタンの投与量は約２０ｍｇであり、インダパミドの投与量は約１．２５ｍｇであり、ベシル酸アムロジピンの投与量は約２．５ｍｇである、請求項２１に記載の医薬組成物。
【請求項２４】
高血圧症を処置するための、請求項１−２３のいずれか１つに記載の医薬組成物の使用。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
移植片対宿主病の治療を必要とするヒト患者の移植片対宿主病を治療する方法であって、
前記方法は、ＣＤ１３７に結合可能な有効量の抗体またはその抗原結合断片を、前記患者に投与することを含み、
前記抗体またはその抗原結合断片は、リンカーを介して細胞毒素にコンジュゲートされる、方法。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
トゥレット症候群、強迫性障害および／またはギャンブル障害の治療における使用のための、３β−ヒドロキシ−５α−プレグナン−２０−オンを含む医薬組成物。
【請求項２】
前記障害がトゥレット症候群である、請求項１に記載の医薬組成物。
【請求項３】
前記障害が強迫性障害である、請求項１に記載の医薬組成物。
【請求項４】
前記障害がギャンブル障害である、請求項１に記載の医薬組成物。
【請求項５】
セロトニン再取込み阻害剤（ＳＳＲＩ）（シタロプラム、エシタロプラム（ｅｃｉｔａｌｏｐｒａｍ）、フルオキセチン、セルトラリンおよびフルボキサミンを包含する）；５α−レデュカーゼ（ｒｅｄｕｃａｓｅ）ブロッカー（フィナステライドまたはデュタステライド包含する）；定型および非定型神経弛緩薬（リスペルドン（ｒｉｓｐｅｒｄｏｎｅ）、ジプラシドン、ハロペリドール、ピモジドおよびフルフェナジンを包含する）；降圧剤（クロニジン、グアンファシン、三環系抗鬱薬、クロミプラミンおよびオピオイドアンタゴニストを包含する）から選択される、少なくとも１つの活性化合物と組み合わせた使用のための、請求項１〜４のいずれか一項に記載の医薬組成物。
【請求項６】
薬学的に許容される担体、賦形剤および／または希釈物質を含む、請求項１〜５のいずれか一項に記載の医薬組成物。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
受領患者における同種異系造血幹細胞（ＨＳＣ）移植に起因する感染性又は非感染性合併症の予防及び／又は治療に使用するための便細菌叢のサンプルであって、前記便細菌叢のサンプルが、ＨＳＣ移植前に投与される、サンプル。
【請求項２】
前記サンプルが、便細菌叢であり、前記造血幹細胞が、同一のドナー対象に由来する、請求項１に記載の使用のための便細菌叢のサンプル。
【請求項３】
受領患者における同種異系造血幹細胞（ＨＳＣ）移植に起因する感染性又は非感染性合併症の予防及び／又は治療に使用するための便細菌叢のサンプルであって、前記便細菌叢のサンプル及び前記造血幹細胞が、同一ドナー対象に由来する、サンプル。
【請求項４】
前記ＨＳＣ移植後に前記受領患者の消化管に前記サンプルを移植すること、好ましくは、前記ＨＳＣ移植の１週間〜２年後に前記受領患者の消化管にサンプルを移植することが、必要に応じて繰り返される、請求項３に記載の使用のための便細菌叢のサンプル。
【請求項５】
前記ＨＳＣ移植の前に前記受領患者の消化管に前記サンプルを移植すること、前記ＨＳＣ移植の１週間〜１２か月、好ましくは１週間〜８か月、好ましくは１週間〜６か月、より好ましくは１週間〜４か月、好ましくは１週間〜３か月、又は１〜８週間前に前記受領患者の消化管に前記サンプルを移植することが、必要に応じて繰り返される、請求項１〜３の何れか１項に記載の使用のための便細菌叢のサンプル。
【請求項６】
クロストリジウム（Ｃｌｏｓｔｒｉｄｉｕｍ）又はエンテロコッカス（Ｅｎｔｅｒｏｃｏｃｃｉ）による感染、特にバンコマイシン耐性エンテロコッカス（ｅｎｔｅｒｏｃｏｃｃｉ）（ＶＲＥ）による感染の予防及び／又は治療における、請求項１〜５の何れか１項に記載の使用のための便細菌叢のサンプル。
【請求項７】
ＧＶＨ疾患の予防及び／又は治療における、請求項１〜６の何れか１項に記載の使用のための便細菌叢のサンプル。
【請求項８】
前記受領患者が、癌に罹患している、請求項１〜７の何れか１項に記載の使用のための便細菌叢のサンプル。
【請求項９】
癌に罹患しており同種異系造血幹細胞移植を受けている又は受けた受領患者の癌の治療に使用するための便細菌叢のサンプルであって、前記便細菌叢のサンプル及び前記造血幹細胞が、同一ドナー対象に由来する、サンプル。
【請求項１０】
前記ＨＳＣ移植の前に前記受領患者の消化管に前記サンプルを移植すること、前記ＨＳＣ移植の１週間〜１２か月、好ましくは１週間〜８か月、好ましくは１週間〜６か月、より好ましくは１週間〜４か月、好ましくは１週間〜３か月、又は１〜８週間前に前記受領患者の消化管に前記サンプルを移植することが、必要に応じて繰り返される、請求項９に記載の便細菌叢のサンプル。
【請求項１１】
前記ＨＳＣ移植の後に前記受領患者の消化管に前記サンプルを移植すること、好ましくは、前記ＨＳＣ移植の１週間〜２年後に前記受領患者の消化管に前記サンプルを移植することが、必要に応じて繰り返される、請求項９に記載の便細菌叢のサンプル。
【請求項１２】
前記受領患者が、悪性血液疾患に罹患している、１〜１１の何れか１項に記載の便細菌叢のサンプル。
【請求項１３】
前記サンプルが、
ｉ）前記ドナー対象からの便サンプルを抗凍結剤及び／又は充填剤を含む生理食塩水性溶液と混合することにより解凍すること、
ｉｉ）任意に、その後、濾過すること、
ｉｉｉ）貯蔵のために凍結する前に、前記混合及び凍結の工程が、好ましくは嫌気性条件下で行われること、
によって得られる、請求項１〜１２の何れか１項に記載の便細菌叢のサンプル。
【請求項１４】
直腸経路を介した投与による、請求項１〜１３の何れか１項に記載の使用のための便細菌叢のサンプル。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2020506192.tif 000001
（式中、
・Ｂは、−ＣＨ2−または−ＣＨ2ＣＨ2−であり；
・Ｗは、ＣＨまたはＮであり；
・Ｘは、ＣＲ4またはＮであり；
・Ｙ1は、−（ＣＨ2）p−（式中、ｐは、０、１、２または３である）であり、およびＹ2は、−（ＣＨ2）q−（式中、ｑは、０、１、２または３である）であり；
・Ｚ1およびＺ2は、ＣＨまたはＮであり、少なくともＺ1またはＺ2は、ＣＨであり；
・Ｒ1は、水素、−ＣＨ2ＯＨ、−ＣＨ2ＯＣＨ3、−Ｃ（Ｏ）ＣＨ3、−Ｃ（Ｏ）ＯＣＨ3、−Ｃ（Ｏ）ＯＣＨ2ＣＨ3、−Ｃ（Ｏ）ＮＨ2、−Ｃ（Ｏ）ＮＨ（ＣＨ2）2ＯＣＨ3、−Ｃ（Ｏ）ＮＨ（ＣＨ3）m、−Ｃ（Ｏ）ＮＨ（ＣＨ2）nＣＨ3もしくは−Ｃ（Ｏ）ＮＨ（ＣＨ2）oＮＨ2（式中、ｍは、１または２であり、ｎおよびｏは、２または３である）、またはオキソ、メチル、エチル、シクロプロピル、メトキシ、メチルアセトアミド、メタンアミン、アゼチジン、ヒドロキシアゼチジニル、ヒドロキシシクロブチルおよびモルホリノメタノンから独立して選択される１つ以上の置換基で任意選択的に置換されたシクロヘキシル、ピリジル、ピロリル、オキサゾリル、オキサジアゾリル、ピラゾリル、トリアゾリル、テトラゾリル、チアジアゾリルおよびイミダゾリジルから選択される炭素環基もしくは複素環基であり、およびＲ4は、水素、メチル、エチルまたはプロピルであるか；またはＲ1、ＸおよびＲ4は、一緒にされて炭素環または複素環を形成し；
・Ｒ2は、水素、メチル、−Ｃ（Ｏ）ＮＨ2、−ＣＨ2Ｃ（Ｏ）ＮＨ2であり、およびＲ3は、水素であるか；またはＲ2およびＲ3は、一緒にされて１，２−エタンジイルまたは１，３−プロパンジイルを形成し；
・Ａｒは、１つ以上のハロゲンで任意選択的に置換された５員の芳香環または複素環式芳香環、６員の芳香環または複素環式芳香環であり；
・Ａは、ハロゲン、−ＯＨ、−Ｏ−ＣＨ3、−ＣＨ3、−ＣＦ3、−ＯＣＦ3、−ＮＨ2、−ＮＣＨ3、−Ｎ（ＣＨ3）2、−ＮＣ（Ｏ）ＣＨ3、−ＮＳＯ2ＣＨ3、シクロプロポキシまたはメタンスルホニルニトリルから独立して選択される１つ以上の置換基で任意選択的に置換されたベンジル、ベンゾチアゾリル、ベンゾキサゾリル、ベンズイソキサゾリル、ベンゾフラニル、イソキノリニル、キナゾリル、ベンズイミダゾリル、ピリドオキサゾリルまたはメトキシフェニルアセトアミドである）
を有する化合物またはその立体異性体、薬学的に許容される塩、溶媒和物もしくは多形体。
【請求項２】
Ｗは、Ｎである、請求項１に記載の化合物。
【請求項３】
Ｂは、−ＣＨ2−であり、およびＲ3は、水素である、請求項１または２に記載の化合物。
【請求項４】
Ｘは、ＣＨである、請求項１〜３のいずれか一項に記載の化合物。
【請求項５】
ｐおよびｑは、０である、請求項１〜４のいずれか一項に記載の化合物。
【請求項６】
Ａは、ハロゲン、−ＯＨ、−ＯＣＨ3、−ＣＨ3、−ＣＦ3、−ＯＣＦ3、−ＮＨ2、−ＮＣＨ3、−Ｎ（ＣＨ3）2、−ＮＣ（Ｏ）ＣＨ3、−ＮＳＯ2ＣＨ3、シクロプロポキシまたはメタンスルホニルニトリルから独立して選択される１つ以上の置換基で任意選択的に置換されたベンゾキサゾール−２−イルである、請求項１〜５のいずれか一項に記載の化合物。
【請求項７】
前記ベンゾキサゾール−２−イルは、５位に置換基を含み、前記置換基は、−ＯＣＨ3、−ＣＦ3、−ＯＣＦ3、−ＮＨ2、−ＮＣＨ3、−Ｎ（ＣＨ3）2、−ＮＣ（Ｏ）ＣＨ3またはシクロプロポキシから選択される、請求項６に記載の化合物。
【請求項８】
前記置換基は、ＯＣＦ3、−ＮＣ（Ｏ）ＣＨ3またはシクロプロポキシから選択される、請求項７に記載の化合物。
【請求項９】
Ａｒは、１つ以上のフルオロで任意選択的に置換されたフェニル、フラン−２−イルまたはピリジンジイルである、請求項１〜８のいずれか一項に記載の化合物。
【請求項１０】
Ａｒは、１，３−フェニル、１，５−（２−フルオロ）−フェニル、１，５−（３−フルオロ）−フェニル、２，５−フラニル、２，４−ピリジンジイルまたは２，６−ピリジンジイルである、請求項１〜９のいずれか一項に記載の化合物。
【請求項１１】
以下の式１〜１３４のいずれか１つを有する化合物。
【化２】
2020506192.tif 000002
【化３】
2020506192.tif 000003
【化４】
2020506192.tif 000004
【化５】
2020506192.tif 000005
【化６】
2020506192.tif 000006
【化７】
2020506192.tif 000007
【化８】
2020506192.tif 000008
【化９】
2020506192.tif 000009
【化１０】
2020506192.tif 000010
【化１１】
2020506192.tif 000011
【化１２】
2020506192.tif 000012
【化１３】
2020506192.tif 000013
【化１４】
2020506192.tif 000014
【化１５】
2020506192.tif 000015
【化１６】
2020506192.tif 000016
【化１７】
2020506192.tif 000017
【化１８】
2020506192.tif 000018
【化１９】
2020506192.tif 000019
【化２０】
2020506192.tif 000020
【化２１】
2020506192.tif 000021
【化２２】
2020506192.tif 000022
【化２３】
2020506192.tif 000023
【化２４】
2020506192.tif 000024
【化２５】
2020506192.tif 000025
（ただし、前記式９ａ、１１ａ、２６ａ、３３ａ、５３ａ、８５ａ、９１ａまたは１０９ａを有する化合物はその塩酸塩を含み、前記式３５ｂ、３９ｂ、４４ｂ、４７ｂまたは５１ｂを有する化合物はそのトリフルオロメタンスルホン酸塩を含む。）
【請求項１２】
請求項１〜１０のいずれか一項に記載の化合物を調製する方法であって、式Ｉａの中間体を式Ｉｂの中間体と好適な塩基および好適な溶媒の存在下で反応させる工程
【化２６】
2020506192.tif 000026
を含み、式中、全ての変量Ａ、Ｂ、Ｒ1、Ｒ2、Ｒ3、Ｒ4、Ａｒ、Ｗ、Ｘ、Ｙ1、Ｙ2、Ｚ1およびＺ2は、請求項１に規定される通りであり、Ｌは、好適な脱離基を表す、方法。
【請求項１３】
有効成分として請求項１〜１１のいずれか一項に記載の化合物を含む医薬組成物。
【請求項１４】
薬学的に許容される担体と、治療有効量の請求項１〜１１のいずれか一項に記載の化合物とを密に混合する工程を含む、請求項１３に記載の医薬組成物を調製する方法。
【請求項１５】
医薬として使用するための、請求項１３に記載の医薬組成物。
【請求項１６】
インフルエンザを予防および／または治療するのに使用するための、請求項１３に記載の医薬組成物。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
それぞれの第１の印刷領域を有する第１の固定プリントヘッドと、
媒体送り方向に関して前記第１のプリントヘッドの下流に配置され、それぞれの第２の印刷領域を有する第２の固定プリントヘッドと、
前記第１および第２の印刷領域において前記印刷媒体を支持するための少なくとも１つの固定プラテンと、
前記第１のプリントヘッドの上流に配置された入力ローラ組立体であって、第１のニップ力Ｎ１をそれらの間に有する入力ローラの対を備えた入力ローラ組立体と、
前記第２のプリントヘッドの下流に配置された出力ローラ組立体であって、第２のニップ力Ｎ２をそれらの間に有する出力ローラの対を備えた出力ローラ組立体と、
前記第１および第２のプリントヘッドの間に配置された中間ローラ組立体であって、第３のニップ力Ｎ３をそれらの間に有する中間ローラの対を備えた中間ローラ組立体とを備え、
Ｎ１＞Ｎ２＞Ｎ３である
ことを特徴とするプリンタ。
【請求項２】
請求項１に記載のプリンタにおいて、前記第１および第２のプリントヘッドが、前記媒体送り方向に関して重なり合う配置で配置されることを特徴とするプリンタ。
【請求項３】
請求項１に記載のプリンタにおいて、前記プラテンが前記第１および第２のプリントヘッド間に延在し、前記第１および第２の印刷領域において印刷媒体を支持するための共通の表面を画定することを特徴とするプリンタ。
【請求項４】
請求項３に記載のプリンタにおいて、前記入力ローラ組立体が前記プラテンの上流に配置され、前記出力ローラ組立体が前記プラテンの下流に配置され、前記中間ローラ組立体が前記プラテンに埋め込まれた１つの中間ローラを有することを特徴とするプリンタ。
【請求項５】
請求項３に記載のプリンタにおいて、前記プラテンが、前記第１および第２の印刷領域を通過する印刷媒体のための平面的な軌道を提供することを特徴とするプリンタ。
【請求項６】
請求項１に記載のプリンタにおいて、前記プラテンが吸引プラテンであることを特徴とするプリンタ。
【請求項７】
請求項１に記載のプリンタにおいて、前記入力、出力および中間ローラ組立体が、共通の駆動機構に動作可能に接続されたそれぞれの駆動ローラを有することを特徴とするプリンタ。
【請求項８】
請求項１に記載のプリンタにおいて、Ｎ１＞（Ｎ２＋Ｎ３）であることを特徴とするプリンタ。
【請求項９】
請求項１に記載のプリンタにおいて、Ｎ１＞２Ｎ２であることを特徴とするプリンタ。
【請求項１０】
請求項１に記載のプリンタにおいて、Ｎ２＞２Ｎ３であることを特徴とするプリンタ。
【請求項１１】
請求項１に記載のプリンタにおいて、
Ｎ１が１０〜６０ニュートンの範囲にあり、
Ｎ２が１〜５ニュートンの範囲内にあり、および
Ｎ３が０．３〜２ニュートンの範囲内にある
ことを特徴とするプリンタ。
【請求項１２】
請求項１に記載のプリンタにおいて、Ｎ１、Ｎ２、およびＮ３のうちの１つまたは複数が、前記プリンタの所定の動作パラメータ内で可変であることを特徴とするプリンタ。
【請求項１３】
請求項１に記載のプリンタにおいて、Ｎ１、Ｎ２、およびＮ３のうちの１つまたは複数の前記ニップ力が、少なくとも部分的に、印刷に使用される印刷媒体の硬さに依存することを特徴とするプリンタ。
【請求項１４】
請求項１３に記載のプリンタにおいて、相対的により硬い印刷媒体には、Ｎ２および／またはＮ３に関して相対的により高いニップ力が採用されることを特徴とするプリンタ。
【請求項１５】
請求項１３に記載のプリンタにおいて、所定の媒体種を、Ｎ１、Ｎ２、およびＮ３に関して所定のニップ力と関連付けるように構成可能であることを特徴とするプリンタ。